(57)【要約】【課題】ビタビ復号器においてビット誤りを起こす確率を考慮した適用制御を行うことが可能な光ディスク装置および適応等価回路を提供する。【解決手段】ビタビ復号器１８から出力されるビット列Ｄ（Ｔ）と等価信号Ｅｑ（Ｔ）との等価誤差信号Ｅｒｏ（Ｔ）を求め、これを理想波形生成器１５１ｂが出力する理想波形Ｉ（Ｔ）のレベルに応じたゲインＧ（Ｉ（Ｔ））を等価誤差信号Ｅｒｏ（Ｔ）に付加し（増幅し）て等価誤差信号Ｅｒ（Ｔ）を生成し、この等価誤差信号Ｅｒ（Ｔ）を用いて等価器特性算出部１５３でタップ係数Ｃ（ｎ，Ｔ）を求めてＦＩＲフィルタ１７に供給する【選択図】      図２
2004234778.tif 000002
【特許請求の範囲】
【請求項１】
光ディスクに記録されているデータを再生する光ピックアップヘッドと、
この光ピックアップヘッドが出力する再生信号を波形等化して等化信号を出力する等化器と、
この等化器が出力する信号を前記等化器により等化したパーシャルレスポンスのクラスに応じて最尤復号を行う最尤復号器と、
この最尤復号器により判別されたビット列と前記等化器が出力する等化信号と前記光ピックアップヘッドが出力する再生信号とを用いて前記等化器の等化器特性を適応制御するパラメータ制御部と、
前記パラメータ制御部に設けられ、前記最尤復号器により判別されたビット列と前記等化器が出力する等化信号とから第１の等化誤差を生成する第１の等化誤差生成部と、
前記パラメータ制御部に設けられ、前記第１の等化誤差生成部が生成した第１の等化誤差と前記光ピックアップヘッドが出力する再生信号との相関を取ることにより等化器特性を算出する等化器特性算出部と、
前記第１の等化誤差生成部に設けられ、前記最尤復号器により判別されたビット列から理想信号を出力する理想信号出力部と、
前記第１の等化誤差生成部に設けられ、前記理想信号出力部が出力する理想信号と前記等化器が出力する等化信号とから第２の等化誤差を生成する第２の等化誤差生成部と、
前記第１の等化誤差生成部に設けられ、前記理想信号出力部が出力する理想信号に応じたゲインにより前記第２の等化誤差生成部が生成する第２の等化誤差を増幅して第１の等化誤差信号を出力する可変ゲイン部と
を具備したことを特徴とする光ディスク装置。
【請求項２】
前記可変ゲイン部において、前記理想信号のレベルのうち、最短マーク・スペースに対応するレベルでのゲイン（Ｇ１）がその他のレベルのゲイン（Ｇ２）より大きい（Ｇ１＞Ｇ２）ことを特徴とした請求項１記載の光ディスク装置。
【請求項３】
光ディスクに記録されているデータを再生する光ピックアップヘッドと、
この光ピックアップヘッドが出力する再生信号を波形等化して等化信号を出力する等化器と、
この等化器が出力する信号を前記等化器により等化したパーシャルレスポンスのクラスに応じて最尤復号を行う最尤復号器と、
この最尤復号器により判別されたビット列と、前記等化器が出力する等化信号と、前記光ピックアップヘッドが出力する再生信号とを用いて前記等化器の等化器特性を適応制御するパラメータ制御部を有する光ディスク再生装置であって、
前記パラメータ制御部は、前記最尤復号器により判別されたビット列と前記等化器が出力する等化信号とから第１の等化誤差を生成する第１の等化誤差生成部と、この第１の等化誤差生成部が生成する第１の等化誤差と前記光ピックアップヘッドが出力する再生信号との相関を取ることにより等化器特性を算出する等化器特性算出部を有し、
前記第１の等化誤差生成部は、前記最尤復号器により判別されたビット列から理想信号を出力する理想信号出力部と、この理想信号出力部が出力する理想信号と前記等化器が出力する等化信号とから第２の等化誤差を生成する第２の等化誤差生成部と、前記最尤復号器により判別されたビット列に応じたゲインにより前記第２の等化誤差生成部が生成した第２の等化誤差を増幅して第１の等化誤差信号を出力する可変ゲイン部を有する
ことを特徴とする光ディスク装置。
【請求項４】
前記可変ゲイン部において、前記最尤復号器により判別されたビット列とこの判別されたビット列に最も近いユークリッド距離を持つビット列とのユークリッド距離（ｄ）に応じたゲイン（Ｇ（ｄ））により前記第２の等化誤差を増幅して第１の等化誤差信号を出力することを特徴とする請求項３記載の光ディスク装置。
【請求項５】
前記最尤復号器により判別されたビット列とこの判別されたビット列に最も近いユークリッド距離を持つビット列とのユークリッド距離（ｄ）に応じたゲイン（Ｇ（ｄ））は、Ｇ（ｄ）＜Ｇ（ｄ＋１）の関係であることを特徴とする請求項３または４記載の光ディスク装置。
【請求項６】
入力信号を波形等化して等化信号を出力する等化器と、
この等化器が出力する信号を前記等化器により等化したパーシャルレスポンスのクラスに応じて最尤復号を行う最尤復号器と、
前記最尤復号器により判別されたビット列と前記等化器が出力する等化信号とから第１の等化誤差を生成する第１の等化誤差生成部と、
前記第１の等化誤差生成部が生成した第１の等化誤差と前記入力信号との相関を取ることにより等化器特性を算出する等化器特性算出部と、
前記最尤復号器により判別されたビット列から理想信号を出力する理想信号出力部と、
前記理想信号出力部が出力する理想信号と前記等化器が出力する等化信号とから第２の等化誤差を生成する第２の等化誤差生成部と、
前記理想信号出力部が出力する理想信号のレベルに応じたゲインにより前記第２の等化誤差生成部が生成する第２の等化誤差を増幅して第１の等化誤差信号を出力する可変ゲイン部と
を具備したことを特徴とする適応等化回路。
【請求項７】
入力信号を波形等化して等化信号を出力する等化器と、
この等化器が出力する信号を前記等化器により等化したパーシャルレスポンスのクラスに応じて最尤復号を行う最尤復号器と、
前記最尤復号器により判別されたビット列と前記等化器が出力する等化信号とから第１の等化誤差を生成する第１の等化誤差生成部と、
前記第１の等化誤差生成部が生成した第１の等化誤差と前記入力信号との相関を取ることにより等化器特性を算出する等化器特性算出部と、
前記最尤復号器により判別されたビット列から理想信号を出力する理想信号出力部と、
前記理想信号出力部が出力する理想信号と前記等化器が出力する等化信号とから第２の等化誤差を生成する第２の等化誤差生成部と、
前記理想信号出力部が出力する理想信号のレベルを判別し、判別したレベルに応じたゲイン信号を出力するゲイン制御部と、
このゲイン制御部が出力するゲイン信号に応じて前記第２の等化誤差生成部が生成する第２の等化誤差を増幅して第１の等化誤差信号を出力する可変ゲイン部と
を具備したことを特徴とする適応等化回路。
【請求項８】
入力信号を波形等化して等化信号を出力する等化器と、
この等化器が出力する信号を前記等化器により等化したパーシャルレスポンスのクラスに応じて最尤復号を行う最尤復号器と、
この最尤復号器により判別されたビット列と前記等化器が出力する等化信号とから第１の等化誤差を生成する第１の等化誤差生成部と、
この第１の等化誤差生成部が生成する第１の等化誤差と前記入力信号との相関を取ることにより等化器特性を算出する等化器特性算出部と、
前記最尤復号器により判別されたビット列から理想信号を出力する理想信号出力部と、
この理想信号出力部が出力する理想信号と前記等化器が出力する等化信号とから第２の等化誤差を生成する第２の等化誤差生成部と、
前記最尤復号器により判別されたビット列に応じたゲインにより前記第２の等化誤差生成部が生成した第２の等化誤差を増幅して第１の等化誤差信号を出力する可変ゲイン部と
を具備したことを特徴とする適応等化回路。
【請求項９】
入力信号を波形等化して等化信号を出力する等化器と、
この等化器が出力する信号を前記等化器により等化したパーシャルレスポンスのクラスに応じて最尤復号を行う最尤復号器と、
この最尤復号器により判別されたビット列と前記等化器が出力する等化信号とから第１の等化誤差を生成する第１の等化誤差生成部と、
この第１の等化誤差生成部が生成する第１の等化誤差と前記入力信号との相関を取ることにより等化器特性を算出する等化器特性算出部と、
前記最尤復号器により判別されたビット列から理想信号を出力する理想信号出力部と、
この理想信号出力部が出力する理想信号と前記等化器が出力する等化信号とから第２の等化誤差を生成する第２の等化誤差生成部と、
前記最尤復号器により判別される各ビット列に対応したゲインが格納されたゲインテーブルと、
このゲインテーブルを参照して前記最尤復号器により判別されたビット列に応じたゲイン信号を出力するゲイン制御部と、
このゲイン制御部から出力されたゲイン信号に応じて前記第２の等化誤差生成部が生成した第２の等化誤差を増幅して第１の等化誤差信号を出力する可変ゲイン部と
を具備したことを特徴とする適応等化回路。
【発明の詳細な説明】
【０００１】
【発明の属する技術分野】
本発明はＰＲＭＬ（Ｐａｒｔｉａｌ  Ｒｅｓｐｏｎｓｅ  ａｎｄ  Ｍａｘｉｍｕｍ  Ｌｉｋｅｌｉｈｏｏｄ）信号処理方式を用いた光ディスク装置および適応等化回路に関する。
【０００２】
【従来の技術】
最近、ＤＶＤ（Ｄｉｇｉｔａｌ  Ｖｅｒｓａｔｉｌｅ  Ｄｉｓｃ）などの光ディスク等の記録媒体に対する記録再生処理を行う情報記録再生装置が広く普及してきており、より高い記録密度を実現するために再生信号処理方法としてＰＲＭＬ信号処理方式が一般的になりつつある。
【０００３】
このＰＲＭＬ信号処理方式は、光ピックアップヘッドにより光ディスク上に記録されている情報に対応した再生信号を出力し、再生信号を等化器によりパーシャルレスポンス等化して等化信号を得て、最尤復号器により等化信号と理想波形とのユークリッド距離が最も小さくなるような理想波形を出力するビット列に復号する。
【０００４】
このようなＰＲＭＬ信号処理方式では、等化信号のレベル情報が重要となるため、再生信号を等化する等化器のパラメータを、最尤復号器が出力するビット列を用いて適応制御する必要がある。
【０００５】
この適用制御の従来技術としては、最尤復号器により復号されたビット列を用いて理想信号を出力し、理想信号と等化器出力との誤差である等化誤差を出力し、この等化誤差が最小となるように等化器特性を適応制御する方法がある（例えば、特許文献１参照。）。
【０００６】
【特許文献１】
特開２０００−２２２８２４号公報（第５−８頁、第１図）
【０００７】
【発明が解決しようとする課題】
しかし、上記特許文献１では、最尤復号器でビット誤りを起こす確率に関係なく等化器を適応制御しているが、ＰＲＭＬ信号処理方式では最尤復号器において正誤のビット列のユークリッド距離が短いビット列ほど誤りを起こす確率が高くなるという点についてはなんら考慮されていないという問題点があった。
【０００８】
本発明は上記課題に鑑み、最尤復号器におけるビット誤りを起こす確率を考慮した適応制御を行うことが可能な光ディスク装置および適応等化回路を提供することを目的とする。
【０００９】
【課題を解決するための手段】
本発明の光ディスク装置は、光ディスクに記録されているデータを再生する光ピックアップヘッドと、この光ピックアップヘッドが出力する再生信号を波形等化して等化信号を出力する等化器と、この等化器が出力する信号を等化器により等化したパーシャルレスポンスのクラスに応じて最尤復号を行う最尤復号器と、この最尤復号器により判別されたビット列と等化信号と再生信号とを用いて等化器の等化器特性を適応制御するパラメータ制御部とを備え、パラメータ制御部に、判別されたビット列と等化信号から第１の等化誤差を生成する第１の等化誤差生成部と、第１の等化誤差生成部が生成した第１の等化誤差と光ピックアップヘッドが出力する再生信号との相関を取ることにより等化器特性を算出する等化器特性算出部とを設け、さらに第１の等化誤差生成部に、最尤復号器により判別されたビット列から理想信号を出力する理想信号出力部と、理想信号出力部が出力する理想信号と等化器が出力する等化信号とから第２の等化誤差を生成する第２の等化誤差生成部と、理想信号出力部が出力する理想信号に応じたゲインにより第２の等化誤差生成部が生成する第２の等化誤差を増幅して第１の等化誤差信号を出力する可変ゲイン部とを設けた。
【００１０】
また、本発明の光ディスク装置は、光ディスクに記録されているデータを再生する光ピックアップヘッドと、この光ピックアップヘッドが出力する再生信号を波形等化して等化信号を出力する等化器と、この等化器が出力する信号を等化器により等化したパーシャルレスポンスのクラスに応じて最尤復号を行う最尤復号器と、この最尤復号器により判別されたビット列と等化器が出力する等化信号と光ピックアップヘッドが出力する再生信号とを用いて等化器の等化器特性を適応制御するパラメータ制御部を備え、パラメータ制御部は、最尤復号器により判別されたビット列と等化器が出力する等化信号とから第１の等化誤差を生成する第１の等化誤差生成部と、この第１の等化誤差生成部が生成する第１の等化誤差と光ピックアップヘッドが出力する再生信号との相関を取ることにより等化器特性を算出する等化器特性算出部を有し、第１の等化誤差生成部は、最尤復号器により判別されたビット列から理想信号を出力する理想信号出力部と、この理想信号出力部が出力する理想信号と等化器が出力する等化信号とから第２の等化誤差を生成する第２の等化誤差生成部と、最尤復号器により判別されたビット列に応じたゲインにより第２の等化誤差生成部が生成した第２の等化誤差を増幅して第１の等化誤差信号を出力する可変ゲイン部を有する。
【００１１】
また、本発明の適応等化回路は、入力信号を波形等化して等化信号を出力する等化器と、この等化器が出力する信号を等化器により等化したパーシャルレスポンスのクラスに応じて最尤復号を行う最尤復号器と、この最尤復号器により判別されたビット列と等化器が出力する等化信号とから第１の等化誤差を生成する第１の等化誤差生成部と、この第１の等化誤差生成部が生成した第１の等化誤差と入力信号との相関を取ることにより等化器特性を算出する等化器特性算出部と、最尤復号器により判別されたビット列から理想信号を出力する理想信号出力部と、この理想信号出力部が出力する理想信号と前記等化器が出力する等化信号とから第２の等化誤差を生成する第２の等化誤差生成部と、理想信号出力部が出力する理想信号のレベルに応じたゲインにより第２の等化誤差生成部が生成する第２の等化誤差を増幅して第１の等化誤差信号を出力する可変ゲイン部とを具備している。
【００１２】
また、本発明の適応等化回路は、入力信号を波形等化して等化信号を出力する等化器と、この等化器が出力する信号を等化器により等化したパーシャルレスポンスのクラスに応じて最尤復号を行う最尤復号器と、この最尤復号器により判別されたビット列と等化器が出力する等化信号とから第１の等化誤差を生成する第１の等化誤差生成部と、この第１の等化誤差生成部が生成する第１の等化誤差と入力信号との相関を取ることにより等化器特性を算出する等化器特性算出部と、最尤復号器により判別されたビット列から理想信号を出力する理想信号出力部と、この理想信号出力部が出力する理想信号と等化器が出力する等化信号とから第２の等化誤差を生成する第２の等化誤差生成部と、最尤復号器により判別されたビット列に応じたゲインにより第２の等化誤差生成部が生成した第２の等化誤差を増幅して第１の等化誤差信号を出力する可変ゲイン部とを具備している。
【００１３】
【発明の実施の形態】
以下、図面を参照して、本発明の実施形態を説明する。
図１は本発明の実施形態に係わる光ディスク装置の構成を示すブロック図である。
図１において、本発明に係る光ディスク装置Ａは光ディスクＤに対するデータ記録又はデータ再生を行う。光ディスク装置Ａは、ディスクカートリッジに収納された光ディスクＤを搬送するトレー３２と、このトレーを駆動するモータ３３と、光ディスクＤを保持するクランパ３４と、これにより保持された光ディスクＤを所定回転数で回転させるスピンドルモータ３５とを有している。また、制御部として全体の動作制御を行うＣＰＵ４６と、この制御動作の基本的なプログラム等を格納するＲＯＭ４７と、各制御プログラムやアプリケーションデータ等を書替可能に格納するＲＡＭ４８とが制御バスを介して接続されている。また、これらのＣＰＵ４６等の制御部にそれぞれ接続されて、光ピックアップＰＵの搬送を行う送りモータ３６と、ピックアップＰＵのフォーカスやトラッキング制御を行うフォーカス／トラッキングアクチュエータドライバ／送りモータドライバ４０、更にスピンドルモータ３５を駆動するスピンドルモータドライバ４１、トレーモータを駆動するトレーモータドライバ４２がそれぞれ設けられている。
【００１４】
また、ピックアップＰＵに接続され検出信号を増幅するプリアンプ１２と、サーボアンプ３８、シーク動作を行うためのシーク信号をドライバに供給するサーボシーク制御ユニット３９とを有している。更に、ピックアップＰＵとプリアンプ１２、サーボシーク制御ユニット３９等に接続され、検出信号及び記録信号を処理するためのデータ処理ユニット１、この各種処理に用いるデータを格納するためのＲＡＭ４３が設けられている。このデータ処理ユニット１からの信号を外部装置との間で送受信するべく、インタフェース制御部４５がＲＡＭ４４を伴って設けられている。
【００１５】
この光ディスク装置Ａは、以下のように光ディスクの再生処理及び記録処理を行う。
光ディスクＤが光ディスク装置Ａへ装填されると、ピックアップＰＵから光ディスクに対してレーザビームＬＢが照射される。照射されたレーザビームＬＢは、対物レンズ３１により収束され、ディスクの記録領域へと照射される。これにより、光ディスクＤの記憶領域にデータが記録され、また記録されているデータに対応する強度の光が反射されデータの再生が行われる。ピックアップＰＵは反射されたレーザビームを検出する光検出器を有しており、光検出器からの検出信号（電流信号）は電流／電圧変換器で電圧信号に変換され、プリアンプ１２及びサーボアンプ３８に供給される。プリアンプ１２に供給された信号は再生信号Ｒｆとしてデータ処理ユニット１に供給される。サーボアンプ３８に供給された信号はサーボ信号（トラックエラー信号、フォーカスエラー信号）としてサーボシーク制御ユニット３９に供給される。
【００１６】
サーボシーク制御ユニット３９からフォーカス信号、トラッキング信号及び送り信号がフォーカス及びトラッキングアクチュエータドライバ並びに送りモータドライバ４０に供給され、このドライバ４０によって対物レンズ３１がフォーカスサーボ制御／トラッキングサーボ制御される。更に、ドライバ４０から付勢信号が送りモータ３６に供給されピックアップヘッドＰＵＨが搬送制御される。また、サーボシーク制御ユニット３９はデータ処理ユニット１によって制御される。例えば、データ処理ユニット１からアクセス信号がサーボシーク制御ユニット３９に供給されて送り信号が生成される。また、データ処理ユニット１からの制御信号でスピンドルモータドライバ４１及びトレーモータドライバ４２が制御され、スピンドルモータ３５及びトレーモータ３３が付勢され、スピンドルモータ３５が所定回転数で回転され、トレーモータ３３がトレーを適切に制御することとなる。
【００１７】
プリアンプ１２からデータ処理ユニット１に供給された再生信号Ｒｆはデータ処理ユニット１内で処理され、インタフェース制御部４５を介して外部装置に再生処理信号として供給される。
【００１８】
次に、本実施形態の光ディスク装置Ａにおける本発明の要部の構成を説明する。
図２は光ディスク装置Ａにおける本発明の要部の構成を説明するためのブロック図である。なお、図１と同一部には同一符号を付し、説明を省略する。
図２において、光ピックアップヘッドＰＵＨが図１のピックアップＰＵ内に設けられている。対物レンズ３１は図１のサーボアンプ３８、サーボシーク制御ユニット３９、ドライバ４０を含むサーボブロック１３からの駆動信号を受けて駆動する対物レンズアクチュエータ１１により動作する。
【００１９】
データ処理ユニット１はパラメータ制御部１５、可変ゲインアンプ部１６、トランスバーサルフィルタであるＦＩＲ（Ｆｉｎｉｔｅ  Ｉｍｐｕｌｓｅ  Ｒｅｓｐｏｎｓｅ）フィルタ１７、最尤復号器であるビタビ復号器１８、ＣＰＵ４６からなる。
【００２０】
可変ゲインアンプ部１６にはプリアンプ１２を介してピックアップヘッドＰＵＨで検出された再生信号Ｒｆ（Ｔ）が供給される。可変ゲインアンプ部１６は再生信号Ｒｆ（Ｔ）のゲイン調整を行い、調整した信号をＦＩＲフィルタ１７に供給する。ＦＩＲフィルタはパラメータ制御部１５によって決定されたタップ係数Ｃ（ｎ，Ｔ）により再生信号Ｒｆ（Ｔ）を波形等化し、等化信号Ｅｑ（Ｔ）をビタビ復号器１８に供給する。ビタビ復号器１８は等価信号Ｅｑ（Ｔ）を、ＦＩＲフィルタ１７により等化したパーシャルレスポンスのクラスに応じた最尤復号処理し判別した復号化データ（ビット列Ｄ（Ｔ））を出力する。
【００２１】
パラメータ制御部１５は、プリアンプ１２からの再生信号Ｒｆ（Ｔ）、ＦＩＲフィルタ１７から出力される等化信号Ｅｑ（Ｔ）およびビタビ復号器１８から出力されるビット列Ｄ（Ｔ）を受けて、ＦＩＲフィルタ１７の特性を適応制御するタップ係数Ｃ（ｎ，Ｔ）をＦＩＲフィルタ１７へ供給する。
【００２２】
図３はパラメータ制御部１５の構成を説明するためのブロック図である。
パラメータ制御部１５は第１の等価誤差信号生成部１５１と等価器特性算出部１５３から構成される。第１の等価誤差信号生成部１５１は、遅延器１５１ａ、理想波形生成器１５１ｂ、第２の等価誤差信号生成部１５１ｃ、レベル検出器１５１ｄ、可変ゲインアンプ部１５１ｅを有する。等価器特性算出部１５３は複数の遅延器１５３ａ、ゲイン制御部１５３ｂ、各遅延器１５３ａにそれぞれ接続された複数の可変ゲインアンプ部１５３ｃ、各遅延器１５３ａにそれぞれ接続され第１の等化誤差信号Ｅｒ（Ｔ）が供給される複数の乗算器１５３ｄ、各可変ゲインアンプ部１５３ｃにそれぞれ接続された複数の減算器１５３ｅ、各減算器１５３ｅにそれぞれ接続された複数のメモリ１５３ｆを有する。
【００２３】
ここで、パラメータ制御部１５の動作を説明する。
第１の等化誤差信号生成部１５１はビタビ復号器１８により復号されたビット列Ｄ（Ｔ）と等化信号Ｅｑ（Ｔ）とから第１の等化誤差信号Ｅｒ（Ｔ）を求める。等価器特性算出部１５３は第１の等価誤差信号Ｅｒ（Ｔ）と再生信号Ｒｆ（Ｔ）との相関を取ることによりタップ係数Ｃ（ｎ，Ｔ）を適応制御する。
【００２４】
第１の等価誤差信号生成部１５１の遅延器１５１ａにＦＩＲフィルタ１７から出力される等価信号Ｅｑ（Ｔ）が、また理想波形生成器１５１ｂにビタビ復号器１８から出力されるビット列Ｄ（Ｔ）が供給される。理想波形生成器１５１ｂはビット列Ｄ（Ｔ）から理想波形Ｉ（Ｔ）を生成し第２の等価誤差信号生成部１５１ｃに出力する。
【００２５】
理想波形生成器１５１ｂは図４の構成となっている。
理想波形生成器１５１ｂは、ビタビ復号器１８から復号信号Ｄ（Ｔ）を受ける複数の遅延回路４１と、各遅延回路４１にそれぞれ接続されて設けられる複数のアンプ回路４２と、これらのアンプ回路４２の出力を受ける加算器４３とを有している。
【００２６】
遅延器１５１ａはＦＩＲフィルタ１７から出力される等価信号Ｅｑ（Ｔ）の位相を理想波形Ｉ（Ｔ）との位相に揃えて等価誤差信号生成部１５１ｃに出力する。第２の等価誤差信号生成部１５１ｃは理想波形生成器１５１ｂからの理想波形Ｉ（Ｔ）と遅延器１５１ａからの等価波形Ｅｑ（Ｔ）との差分をとることにより第２の等価誤差信号Ｅｒｏ（Ｔ）を生成し、可変ゲインアンプ部１５１ｅに供給する。レベル検出器１５１ｄは理想波形生成器１５１ｂが出力する理想波形Ｉ（Ｔ）のレベルを判定し、この判定したレベルを可変ゲインアンプ部１５１ｅに供給する。可変ゲインアンプ部１５１ｅはレベル検出器１５１ｄで判定された理想波形Ｉ（Ｔ）のレベルに応じたゲインＧ（Ｉ（Ｔ））を第２の等価誤差信号Ｅｒｏ（Ｔ）に付加し（増幅し）、第１の等価誤差信号Ｅｒ（Ｔ）として各乗算器１５３ｄに供給する。関数Ｇ（Ｉ（Ｔ））は最短マーク・スペースに対応する理想信号のレベルをＬＶｘ１、ＬＶｘ２とした場合に、ｍ＝ＬＶｘ１，ＬＶｘ２、ｎ≠ＬＶｘ１，ＬＶｘ２とすると、Ｇ（ｍ）＞Ｇ（ｎ）を満たす関数である。
【００２７】
等価誤差信号生成部１５１で生成された第１の等価誤差信号Ｅｒ（Ｔ）は、各乗算器１５３ｄに供給される。等価器特性算出部１５３の最前段の遅延器１５３ａには再生信号Ｒｆ（Ｔ）が供給され、再生信号Ｒｆ（Ｔ）は各遅延器１５３ａで所定時間単位毎に遅延され後段の遅延器１５３ａに供給される。各遅延器１５３ａ遅延された再生信号Ｒｆ（Ｔ）はそれぞれ乗算器１５３ｄに供給され、第１の等価誤差信号Ｅｒ（Ｔ）と遅延された各再生信号Ｒｆ（Ｔ）が各乗算器１５３ｄで乗算演算され、それぞれ対応する可変ゲインアンプ部１５１ｅに供給される。各可変ゲインアンプ部１５１ｅはゲイン制御部１５３ｂの制御により、それぞれ乗算器１５３ｄで演算された信号のゲインを調整し、ゲイン調整した信号を対応する減算器１５３ｅに供給する。減算器１５３ｅはメモリ１５３ｆを介してフィードバックされる信号との差分をとり、この差分を対応するタップ係数Ｃ（ｎ，Ｔ）としてＦＩＲフィルタ１７に供給する。
【００２８】
以上のように、ビタビ復号器１８から出力されるビット列Ｄ（Ｔ）と等価信号Ｅｑ（Ｔ）との等価誤差信号Ｅｒｏ（Ｔ）を求め、これを理想波形生成器１５１ｂが出力する理想波形Ｉ（Ｔ）のレベルに応じたゲインＧ（Ｉ（Ｔ））を等価誤差信号Ｅｒｏ（Ｔ）に付加し（増幅し）て等価誤差信号Ｅｒ（Ｔ）を生成し、この等価誤差信号Ｅｒ（Ｔ）を用いて等価器特性算出部１５３でタップ係数Ｃ（ｎ，Ｔ）を求めてＦＩＲフィルタ１７に供給することで、ビタビ復号器１８でビット誤りを起こしやすい再生信号に対して強く適応制御を行うことができるため、最適な等化器特性に適応制御することができる。
【００２９】
次に、本発明の第２の実施形態について説明する。
図５は第２の実施形態に係わる等化誤差信号生成部の構成を説明するブロック図である。
なお、図５において図３と同一部には同一符号を付し説明を省略する。
図５の等価誤差信号生成部５１は、理想波形生成器１５１ｂが出力する理想波形Ｉ（Ｔ）のレベルに応じたゲインＧ（Ｉ（Ｔ））を等価誤差信号Ｅｒｏ（Ｔ）に付加し（増幅し）て等価誤差信号Ｅｒ（Ｔ）を生成する代わりに、ゲイン制御部５１がビタビ復号器１８から出力されるビット列Ｄ（Ｔ）を基にゲインテーブル５２を参照し、ｘビットのビット列Ｄ（ｘ，Ｔ）に応じたゲインをゲインテーブルより検索し、検索したゲイン情報を可変ゲインアンプ部１５１ｅに出力する。可変ゲインアンプ部１５１ｅは遅延器５３で遅延された第２の等価誤差信号Ｅｒｏ（Ｔ）に可変ゲインアンプ部１５１ｅから出力されたゲインを付加することにより、第１の等価誤差信号Ｅｒ（Ｔ）を生成する。
【００３０】
図６にＰＲ（１２２１）ＭＬ信号処理方式、（１，７）ＲＬＬ変調方式を用いた場合のゲインテーブルの一例を示す。図６においては、ユークリッド距離１０のビット列はゲインｇ１、ユークリッド距離１２のビット列はゲインｇ２、ユークリッド距離１４のビット列はゲインｇ３、ユークリッド距離１４超のビット列はゲインｇ４である。なお、ゲインの大きさはｇ１＞ｇ２＞ｇ３＞ｇ４とする。
【００３１】
以上のような等化誤差算出部を設けることにより後段のビタビ復号器にとって、最適な等化器特性に適応制御することができる。
【００３２】
【発明の効果】
本発明によれば、ビタビ復号器においてビット誤りを起こす確率を考慮した適用制御を行うことが可能な光ディスク装置および適応等価回路を提供することが可能になる。
【図面の簡単な説明】
【図１】本実施形態に係る光ディスク装置の構成を示すブロック図。
【図２】本発明の要部の構成を示すブロック図。
【図３】パラメータ制御部の構成を示すブロック図。
【図４】理想波形生成器の構成を示すブロック図。
【図５】第２の実施形態に係わる等化誤差信号算出部の構成を示すブロック図。
【図６】ゲインテーブルの例を示す図。
【符号の説明】
１５    パラメータ制御部
１６、１５１ｅ、１５３ｃ    可変ゲインアンプ部
１７    ＦＩＲフィルタ
１８    ビタビ復号器
１５１    第１の等価誤差信号生成部
１５１ａ、１５３ａ、５３    遅延器
１５１ｂ    理想波形生成器
１５１ｃ    第２の等価誤差信号生成部
１５１ｄ    レベル検出器
１５３    等価器特性算出部
１５３ｄ    乗算器
１５１ｃ、１５３ｅ    減算器
５１    ゲイン制御部
５２    ゲインテーブル
【図１】
2004234778.tif 000003
【図２】
2004234778.tif 000004
【図３】
2004234778.tif 000005
【図４】
2004234778.tif 000006
【図５】
2004234778.tif 000007
【図６】
2004234778.tif 000008